【手続補正書】
【提出日】平成19年1月23日(2007.1.23)
【手続補正１】
【補正対象書類名】明細書
【補正対象項目名】特許請求の範囲
【補正方法】変更
【補正の内容】
【特許請求の範囲】
【請求項１】  充電可能なバッテリーを備えた携帯電子機器と、該携帯電子機器のバッテリーに対して充電を行なう充電機構を備えた充電装置と、を有した携帯電子機器システムであって、
前記携帯電子機器は、インクジェット印刷機構を内蔵しており、
前記充電装置は、前記携帯電子機器の印刷機構に対してインクを充填するインク充填機構と、前記携帯電子機器の印刷機構から排出される廃インクの回収機構と、を有することを特徴とする携帯電子機器システム。
【請求項２】  前記インクジェット印刷機構に、記録媒体とインクを内蔵したメディアパックを取り付けて印刷を行うことを特徴とする請求項１に記載の携帯電子機器システム。
【請求項３】  前記携帯電子機器は、情報処理機能を有する携帯電話であることを特徴とする請求項１に記載の携帯電子機器システム。
【請求項４】  前記携帯電子機器は、表示部を有しており、印刷用インクの残量を該表示部に表示することを特徴とする請求項１に記載の携帯電子機器システム。
【請求項５】  前記表示部には、印刷用インクの残量が少なくなったことを表示することを特徴とする請求項４に記載の携帯電子機器システム。
【請求項６】  印刷用インクの残量が少なくなったことを振動で知らせることを特徴とする請求項３に記載の携帯電子機器システム。
【請求項７】  印刷用インクの残量が少なくなったことを音声で知らせることを特徴とする請求項３に記載の携帯電子機器システム。
【請求項８】  充電可能なバッテリーを備えた携帯電子機器において、
インクジェットヘッドと記録媒体の搬送機構とを有したインクジェット印刷機構と、
バッテリー充電のために装着される充電装置に設けられたインク充填機構及び廃インク回収機構に連結されるインク充填結合部及び廃インク回収結合部と、
を備えていることを特徴とする携帯電子機器。
【請求項９】  前記インクジェット印刷機構に、記録媒体とインクを内蔵したメディアパックを取り付けて印刷を行うことを特徴とする請求項８に記載の携帯電子機器。
【請求項１０】  情報処理機能を有する携帯電話であることを特徴とする請求項８に記載の携帯電子機器。
【請求項１１】  表示部を有しており、印刷用インクの残量を該表示部に表示することを特徴とすることを特徴とする請求項８に記載の携帯電子機器。
【請求項１２】  前記表示部に、印刷用インクの残量が少なくなったことを表示することを特徴とする請求項１１に記載の携帯電子機器。
【請求項１３】  印刷用インクの残量が少なくなったことを振動で知らせることを特徴とする請求項１０に記載の携帯電子機器。
【請求項１４】  印刷用インクの残量が少なくなったことを音声で知らせることを特徴とする請求項１０に記載の携帯電子機器。
【請求項１５】  充電可能なバッテリーを備えた携帯電子機器のバッテリーに対して充電を行う充電機構を備えた充電装置において、
前記携帯電子機器はインクジェット印刷機構を内蔵しており、
前記印刷機構に対してインクを充填するインク充填機構と、前記携帯電子機器の印刷機構から排出される廃インクの回収機構と、を有することを特徴とする充電装置。
【請求項１６】  印刷機構を内蔵した携帯電子装置において、
前記携帯電子装置の充電時に印刷用インクを同時に補充することを特徴とする携帯電子装置。
【請求項１７】  印刷機構を内蔵した携帯電子装置において、
前記携帯電子装置の充電時に印刷用インクの廃インクを排出することを特徴とする携帯電子装置。
【請求項１８】  印刷機構を内蔵した携帯電子装置において、
前記携帯電子装置の充電用スタンドに印刷用インクを補充する機能を持たせたことを特徴とする携帯電子装置。
【請求項１９】  印刷機構を内蔵した携帯電子装置において、
前記携帯電子装置の充電用スタンドに印刷用インクの廃インクを排出する機能を持たせたことを特徴とする携帯電子装置。
【請求項２０】  携帯電子装置に接続または通信し、該携帯電子装置の情報を印刷することが可能な携帯印刷装置において、
前記携帯印刷装置の充電時に印刷用インクも同時に補充することを特徴とする携帯印刷装置。
【請求項２１】  携帯電子装置に接続または通信し、該携帯電子装置の情報を印刷することが可能な携帯印刷装置において、
前記携帯印刷装置の充電時に印刷用インクの廃インクを排出することを特徴とする携帯印刷装置。
【請求項２２】  前記携帯電子装置との通信は無線を用いて行うことを特徴とする請求項２０または２１に記載の携帯印刷装置。
【請求項２３】  前記携帯電子装置との通信は赤外線を用いて行うことを特徴とする請求項２０または２１に記載の携帯印刷装置。
【手続補正２】
【補正対象書類名】明細書
【補正対象項目名】０００８
【補正方法】変更
【補正の内容】
【０００８】
【課題を解決するための手段】
請求項１に係る発明は、上記目的を達成するため、充電可能なバッテリーを備えた携帯電子機器と、該携帯電子機器のバッテリーに対して充電を行なう充電機構を備えた充電装置と、を有した携帯電子機器システムであって、前記携帯電子機器は、インクジェット印刷機構を内蔵しており、前記充電装置は、前記携帯電子機器の印刷機構に対してインクを充填するインク充填機構と、前記携帯電子機器の印刷機構から排出される廃インクの回収機構と、を有することを特徴とする。
上記請求項１の構成においては、さらに、前記インクジェット印刷機構に、記録媒体とインクを内蔵したメディアパックを取り付けて印刷を行う構成、前記携帯電子機器は、情報処理機能を有する携帯電話である構成、前記携帯電子機器は、表示部を有しており、印刷用インクの残量を該表示部に表示する構成、前記表示部には、印刷用インクの残量が少なくなったことを表示する構成、印刷用インクの残量が少なくなったことを振動で知らせる構成、あるいは印刷用インクの残量が少なくなったことを音声で知らせる構成とすることが好ましい。
【手続補正３】
【補正対象書類名】明細書
【補正対象項目名】０００９
【補正方法】変更
【補正の内容】
【０００９】
請求項８に係る発明は、上記目的を達成するため、充電可能なバッテリーを備えた携帯電子機器において、インクジェットヘッドと記録媒体の搬送機構とを有したインクジェット印刷機構と、バッテリー充電のために装着される充電装置に設けられたインク充填機構及び廃インク回収機構に連結されるインク充填結合部及び廃インク回収結合部と、を備えていることを特徴とする。
上記請求項８の構成においては、さらに、前記インクジェット印刷機構に、記録媒体とインクを内蔵したメディアパックを取り付けて印刷を行う構成、情報処理機能を有する携帯電話である構成、表示部を有しており、印刷用インクの残量を該表示部に表示する構成、前記表示部に、印刷用インクの残量が少なくなったことを表示する構成、印刷用インクの残量が少なくなったことを振動で知らせる構成、あるいは印刷用インクの残量が少なくなったことを音声で知らせる構成とすることが好ましい。
【手続補正４】
【補正対象書類名】明細書
【補正対象項目名】００１０
【補正方法】変更
【補正の内容】
【００１０】
請求項１５に係る発明は、上記目的を達成するため、充電可能なバッテリーを備えた携帯電子機器のバッテリーに対して充電を行う充電機構を備えた充電装置において、前記携帯電子機器はインクジェット印刷機構を内蔵しており、前記印刷機構に対してインクを充填するインク充填機構と、前記携帯電子機器の印刷機構から排出される廃インクの回収機構と、を有することを特徴とする。
【手続補正５】
【補正対象書類名】明細書
【補正対象項目名】００１１
【補正方法】変更
【補正の内容】
【００１１】
請求項１６に係る発明は、印刷機構を内蔵した携帯電子装置において、前記携帯電子装置の充電時に印刷用インクを同時に補充することを特徴とする。
請求項１７に係る発明は、印刷機構を内蔵した携帯電子装置において、前記携帯電子装置の充電時に印刷用インクの廃インクを排出することを特徴とする。
請求項１８よ係る発明は、印刷機構を内蔵した携帯電子装置において、前記携帯電子装置の充電用スタンドに印刷用インクを補充する機能を持たせたことを特徴とする。
請求項１９に係る発明は、印刷機構を内蔵した携帯電子装置において、前記携帯電子装置の充電用スタンドに印刷用インクの廃インクを排出する機能を持たせたことを特徴とする。
【手続補正６】
【補正対象書類名】明細書
【補正対象項目名】００１２
【補正方法】変更
【補正の内容】
【００１２】
請求項２０に係る発明は、携帯電子装置に接続または通信し、該携帯電子装置の情報を印刷することが可能な携帯印刷装置において、前記携帯印刷装置の充電時に印刷用インクも同時に補充することを特徴とする。
請求項２１に係る発明は、携帯電子装置に接続または通信し、該携帯電子装置の情報を印刷することが可能な携帯印刷装置において、前記携帯印刷装置の充電時に印刷用インクの廃インクを排出することを特徴とする。
この場合、前記携帯電子装置との通信は無線あるいは赤外線を用いて行うことが好ましい。
【手続補正７】
【補正対象書類名】明細書
【補正対象項目名】００５１
【補正方法】変更
【補正の内容】
【００５１】
【発明の効果】
以上の説明から明らかなごとく、請求項１の発明によれば、充電可能なバッテリーを備えた携帯電子機器と、該携帯電子機器のバッテリーに対して充電を行なう充電機構を備えた充電装置と、を有した携帯電子機器システムであって、前記携帯電子機器は、インクジェット印刷機構を内蔵しており、前記充電装置は、前記携帯電子機器の印刷機構に対してインクを充填するインク充填機構と、前記携帯電子機器の印刷機構から排出される廃インクの回収機構と、を有する構成としたので、携帯電子機器の内部のインク貯留部を小型化でき、携帯電話等の携帯電子機器に印刷機構を容易にかつ簡単に内蔵することが可能となり、格納されているデータを容易にかつ迅速に印刷できる携帯電子機器システムが提供される。
請求項２〜７の構成によれば、さらに、前記インクジェット印刷機構に、記録媒体とインクを内蔵したメディアパックを取り付けて印刷を行う構成、前記携帯電子機器は、情報処理機能を有する携帯電話である構成、前記携帯電子機器は、表示部を有しており、印刷用インクの残量を該表示部に表示する構成、前記表示部には、印刷用インクの残量が少なくなったことを表示する構成、印刷用インクの残量が少なくなったことを振動で知らせる構成、あるいは印刷用インクの残量が少なくなったことを音声で知らせる構成としたので、一層効率よく上記効果を達成できる携帯電子機器システムが提供される。
【手続補正８】
【補正対象書類名】明細書
【補正対象項目名】００５２
【補正方法】変更
【補正の内容】
【００５２】
請求項８の発明によれば、充電可能なバッテリーを備えた携帯電子機器において、インクジェットヘッドと記録媒体の搬送機構とを有したインクジェット印刷機構と、バッテリー充電のために装着される充電装置に設けられたインク充填機構及び廃インク回収機構に連結されるインク充填結合部及び廃インク回収結合部と、を備えている構成としたので、携帯電子装置の内部のインク貯留部を小型化でき、携帯電話等の携帯電子機器に印刷機構を容易にかつ簡単に内蔵することが可能となり、格納されているデータを容易にかつ迅速に印刷できる携帯電子機器が提供される。
【手続補正９】
【補正対象書類名】明細書
【補正対象項目名】００５３
【補正方法】変更
【補正の内容】
【００５３】
上記請求項８の構成においては、さらに、前記インクジェット印刷機構に、記録媒体とインクを内蔵したメディアパックを取り付けて印刷を行う構成、情報処理機能を有する携帯電話である構成、表示部を有しており、印刷用インクの残量を該表示部に表示する構成、前記表示部に、印刷用インクの残量が少なくなったことを表示する構成、印刷用インクの残量が少なくなったことを振動で知らせる構成、あるいは印刷用インクの残量が少なくなったことを音声で知らせる構成としたので、一層効率よく、携帯電子装置の内部のインク貯留部を小型化でき、携帯電話等の携帯電子機器に印刷機構を容易にかつ簡単に内蔵することが可能となり、格納されているデータを容易にかつ迅速に印刷できる携帯電子機器が提供される。
【手続補正１０】
【補正対象書類名】明細書
【補正対象項目名】００５４
【補正方法】変更
【補正の内容】
【００５４】
請求項１５の発明によれば、充電可能なバッテリーを備えた携帯電子機器のバッテリーに対して充電を行う充電機構を備えた充電装置において、前記携帯電子機器はインクジェット印刷機構を内蔵しており、前記印刷機構に対してインクを充填するインク充填機構と、前記携帯電子機器の印刷機構から排出される廃インクの回収機構と、を有する構成としたので、携帯電子機器の内部のインク貯留部を小型化でき、携帯電話等の携帯電子機器に印刷機構を容易にかつ簡単に内蔵することが可能となり、格納されているデータを容易にかつ迅速に印刷することを可能にできる充電装置が提供される。
【手続補正１１】
【補正対象書類名】明細書
【補正対象項目名】００５５
【補正方法】変更
【補正の内容】
【００５５】
請求項１６の発明によれば、印刷機構を内蔵した携帯電子装置において、前記携帯電子装置の充電時に印刷用インクを同時に補充する構成としたので、携帯電子装置の内部のインク貯留部を小型化でき、携帯電話等の携帯電子装置に印刷機構を容易にかつ簡単に内蔵することが可能となり、格納されているデータを容易にかつ迅速に印刷できる携帯電子装置が提供される。
【手続補正１２】
【補正対象書類名】明細書
【補正対象項目名】００５６
【補正方法】変更
【補正の内容】
【００５６】
請求項１７〜１９の発明によれば、印刷機構を内蔵した携帯電子装置において、前記携帯電子装置の充電時に印刷用インクの廃インクを排出する構成、印刷機構を内蔵した携帯電子装置において、前記携帯電子装置の充電用スタンドに印刷用インクを補充する機能を持たせた構成、あるいは、印刷機構を内蔵した携帯電子装置において、前記携帯電子装置の充電用スタンドに印刷用インクの廃インクを排出する機能を持たせた構成としたので、携帯電子装置の内部のインク貯留部を小型化でき、携帯電話等の携帯電子機器に印刷機構を容易にかつ簡単に内蔵することが可能となり、格納されているデータを容易にかつ迅速に印刷できる携帯電子装置が提供される。
【手続補正１３】
【補正対象書類名】明細書
【補正対象項目名】００５７
【補正方法】変更
【補正の内容】
【００５７】
請求項２０の発明によれば、携帯電子装置に接続または通信し、該携帯電子装置の情報を印刷することが可能な携帯印刷装置において、前記携帯印刷装置の充電時に印刷用インクも同時に補充する構成とし、請求項２１の発明によれば、携帯電子装置に接続または通信し、該携帯電子装置の情報を印刷することが可能な携帯印刷装置において、前記携帯印刷装置の充電時に印刷用インクの廃インクを排出する構成としたので、携帯電子装置の内部のインク貯留部を小型化でき、携帯電話等の携帯電子機器に印刷機構を容易にかつ簡単に内蔵することが可能となり、格納されているデータを容易にかつ迅速に印刷できる携帯印刷装置が提供される。請求項２２及び２３の発明によれば、さらに、前記携帯電子装置との通信は無線あるいは赤外線を用いて行う構成としたので、一層効率よく上記効果を達成できる携帯印刷装置が提供される。